(57)【要約】【課題】一般家庭向けのテレビデオやＤＶＤコンボモデルテレビジョンといった一体型テレビジョンを店頭ＰＯＰに使用すると駆動部分の寿命が短いという問題があり、一体型テレビジョンの長寿命化が困難となっていた。また、この問題を解決するには駆動部に耐久性の高い部品を使用せざるを得ず、コストアップが避けられなかった。【解決手段】ＰＯＰモードと通常モードとを選択可能とし、ＰＯＰモードではＤＶＤドライブ３０からデータを取得し、ＭＰＥＧ４エンコーダ３１にてＭＰＥＧ２データはＭＰＥＧ４形式に変換して、ＭＰＥＧ４データはそのままＳＤＲＡＭ３３に記憶させる。またＭＰＥＧ４エンコーダにて音声データをカットしたデータも出力可能とし、音声データをカットするかしないかを選択可能とした。さらにＤＶＤドライブ３０の駆動を停止するようにした。【選択図】図３
2007104125.tif 000002
【特許請求の範囲】
【請求項１】
ＤＶＤドライブと、
マイコンと、
上記マイコンが読み出して実行する特殊再生機能を備える通常再生プログラムと特殊再生機能を備えないＰＯＰ再生プログラムとが記憶されるフラッシュメモリと、
情報を書き換え可能なＳＤＲＡＭと、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンとを備えるテレビジョンにおいて、
上記ＳＤＲＡＭは、
上記通常再生プログラムまたは上記ＰＯＰ再生プログラムを記憶するプログラムエリアと、
オン・スクリーン・ディスプレイ信号を記憶するＯＳＤエリアと、
映像や音声を含むデータが記憶されるバッファエリアと、
各種パラメータを格納するパラメータエリアとを具備し、
上記マイコンは、
上記ＰＯＰ再生プログラムを実行すると、
上記ＤＶＤプレーヤーからＭＰＥＧデータを取得し、上記プログラムエリアおよび上記ＯＳＤエリアも上記データを記憶させるためのバッファエリアとし、上記複数のキーより上記ＭＰＥＧデータの音声データをカットするか否かを選択する操作入力を受け付け、音声データをカットする操作入力を受け付けたときは上記データの形式をＭＰＥＧ４にするとともに音声データをカットして上記バッファエリアに記憶させ、音声データをカットしないとの操作入力を受け付けたときは上記データをＭＰＥＧ４形式で上記バッファエリアに記憶させ、上記ＤＶＤプレーヤーの駆動を停止させ、上記複数のキーからの操作入力を制限することを特徴とするテレビジョン。
【請求項２】
マイコンと、
上記マイコンが読み出して実行する特殊再生機能を備える通常再生プログラムと特殊再生機能を備えないＰＯＰ再生プログラムとが記憶されるフラッシュメモリと、
ディスク再生装置と、
上記ディスク再生装置を駆動する駆動部と、
各種情報を記憶可能な記憶媒体とを備えるテレビジョンにおいて、
上記記憶媒体は、
上記通常再生プログラムまたは上記ＰＯＰ再生プログラムを記憶するプログラムエリアと、
上記オン・スクリーン・ディスプレイ信号を記憶するＯＳＤエリアと、
上記データが記憶されるバッファエリアと、
各種パラメータを格納するパラメータエリアとを具備し、
上記マイコンにおいて上記ＰＯＰ再生プログラムを実行すると、
上記マイコンは上記ディスク再生装置より映像と音声とを含むデータを取得し、取得した上記データをバッファエリアに記憶させるとともに、上記駆動部を停止させることを特徴とするテレビジョン。
【請求項３】
上記ＰＯＰ再生プログラムを実行する上記マイコンは、上記ディスク再生装置より映像と音声とを含むデータを取得し、上記映像と音声とを含むデータがＭＰＥＧ２形式のときはＭＰＥＧ４形式に圧縮符号化して上記バッファエリアに記憶させることを特徴とする上記請求項２に記載のテレビジョン。
【請求項４】
上記マイコンは、上記ＰＯＰ再生プログラムを上記フラッシュメモリから実行するとともに、上記プログラムエリアも上記映像と音声とを含むデータを記憶させるためのバッファエリアとして使用することを特徴とする上記請求項２または３に記載のテレビジョン。
【請求項５】
上記マイコンは、上記ＰＯＰ再生プログラムを上記フラッシュメモリから実行するとともに、上記ＯＳＤエリアも上記データを記憶させるためのバッファエリアとして使用することを特徴とする上記請求項２〜４のいずれかに記載のテレビジョン。
【請求項６】
上記ＰＯＰ再生プログラムを実行する上記マイコンは、上記ディスク再生装置より映像と音声とを含むデータを取得し、上記映像と音声とを含むデータを映像データと音声データとに分離し、上記映像データのみを上記バッファエリアに記憶させることを特徴とする請求項２〜５のいずれかに記載のテレビジョン。
【請求項７】
上記テレビジョンは、上記通常再生プログラムと上記ＰＯＰ再生プログラムとを選択するプログラム選択手段と、ユーザーからの操作入力を受け付ける操作入力受付手段とを備え、
上記プログラム選択手段にて上記ＰＯＰ再生プログラムが選択されたとき、上記マイコンは、上記操作入力受付手段からの操作入力を制限することを特徴とする上記請求項２〜６のいずれかに記載のテレビジョン。
【発明の詳細な説明】
【技術分野】
【０００１】
本発明は店頭ＰＯＰに使用するテレビジョンに関する。
【背景技術】
【０００２】
従来は店頭ＰＯＰに、一般家庭向けのテレビデオやＤＶＤコンボモデルテレビジョンといった一体型テレビジョンが用いられていた。
特許文献１にはナビゲーション装置において、デモンストレーション用の地図データをＣＤ−ＲＯＭから読み出してメモリに記憶し、デモンストレーションを連続して行う場合にはメモリより地図データを読み出して行うことでＣＤ−ＲＯＭドライブの消耗を防止するデモンストレーション方法について開示されている。
特許文献２には動画映像を撮像して動画映像信号に変換し、Ａ／Ｄ変換して不揮発性メモリに記録するデジタル映像信号記録装置について開示されている。
特許文献３には映像や音声を店頭で配信できる電子ＰＯＰにおいて、書き換え可能なメモリを搭載することで、通信衛星からの情報の常時配信を不要にしたメモリ型携帯端末について開示されている。
【特許文献１】特開平８−２７１２６８
【特許文献２】特開平７−２５５０２９
【特許文献３】実用新案登録第３０７２３１９号
【発明の開示】
【発明が解決しようとする課題】
【０００３】
上述した従来技術においては、一日中繰り返し再生するような使い方に対しては、ＤＶＤプレーヤーのモーターなどの駆動部分の寿命が短いという問題があり、一体型テレビジョンの長寿命化が困難となっていた。また、この問題を解決するには駆動部に耐久性の高い部品を使用せざるを得ず、コストアップが避けられなかった。
【０００４】
本発明では、一日中同じ映像を繰り返し流すような店頭ＰＯＰ用テレビジョンにおいて、低コストかつ長寿命なものの提供を目的とする。
【課題を解決するための手段】
【０００５】
上記目的を達成するため、本発明では、ＤＶＤドライブと、マイコンと、上記マイコンが読み出して実行する特殊再生機能を備える通常再生プログラムと特殊再生機能を備えないＰＯＰ再生プログラムとが記憶されるフラッシュメモリと、情報を書き換え可能なＳＤＲＡＭと、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンとを備えるテレビジョンにおいて、上記ＳＤＲＡＭは、上記通常再生プログラムまたは上記ＰＯＰ再生プログラムを記憶するプログラムエリアと、オン・スクリーン・ディスプレイ信号を記憶するＯＳＤエリアと、映像や音声を含むデータが記憶されるバッファエリアと、各種パラメータを格納するパラメータエリアとを具備し、上記マイコンは、上記ＰＯＰ再生プログラムを実行すると、上記ＤＶＤプレーヤーからＭＰＥＧデータを取得し、上記プログラムエリアおよび上記ＯＳＤエリアも上記データを記憶させるためのバッファエリアとし、上記複数のキーより上記ＭＰＥＧデータの音声データをカットするか否かを選択する操作入力を受け付け、音声データをカットする操作入力を受け付けたときは上記データの形式をＭＰＥＧ４にするとともに音声データをカットして上記バッファエリアに記憶させ、音声データをカットしないとの操作入力を受け付けたときは上記データをＭＰＥＧ４形式で上記バッファエリアに記憶させ、上記ＤＶＤプレーヤーの駆動を停止させ、上記複数のキーからの操作入力を制限する構成としてある。
【０００６】
また、上記目的を達成するために、請求項２に記載のテレビジョンは、マイコンと、上記マイコンが読み出して実行する特殊再生機能を備える通常再生プログラムと特殊再生機能を備えないＰＯＰ再生プログラムとが記憶されるフラッシュメモリと、ディスク再生装置と、上記ディスク再生装置を駆動する駆動部と、各種情報を記憶可能な記憶媒体とを備えるテレビジョンにおいて、上記記憶媒体は、上記通常再生プログラムまたは上記ＰＯＰ再生プログラムを記憶するプログラムエリアと、上記オン・スクリーン・ディスプレイ信号を記憶するＯＳＤエリアと、上記データが記憶されるバッファエリアと、各種パラメータを格納するパラメータエリアとを具備し、上記マイコンにおいて上記ＰＯＰ再生プログラムを実行すると、上記マイコンは上記ディスク再生装置より映像と音声とを含むデータを取得し、取得した上記データをバッファエリアに記憶させるとともに、上記駆動部を停止させる構成としてある。
【０００７】
上記記憶媒体には、ＥＥＰＲＯＭ、フラッシュメモリ、ＳＤＲＡＭなどのバッテリによりバックアップされたＲＡＭ、ハードディスク等の磁気記憶媒体、等を用いることができる。
また特殊再生機能とは、早送り再生や、スロー再生や、一時停止や、リピート再生などの通常の一倍速再生以外の再生機能のことである。
【発明の効果】
【０００８】
以上説明したように、本発明によれば、長寿命かつ低コストでテレビジョンを提供できる。
また請求項２にかかる発明によれば、データをディスク再生装置から記憶媒体にコピーして再生するとともに、ディスク再生装置の駆動部分を停止させるため、長寿命かつ低コストでテレビジョンを提供できる。
そして請求項３にかかる発明によれば、ディスク再生装置より取得したデータがＭＰＥＧ２形式のときはＭＰＥＧ４形式に圧縮符号化して記憶媒体に記憶させるため、より長時間のデータを記憶媒体に記憶させることが可能となる。
さらに請求項４または５にかかる発明によれば、プログラムエリアや、ＯＳＤエリアを、ディスク再生装置より取得したデータを記憶させるために使用できるため、さらに長時間のデータを記憶媒体に記憶させることが可能となる。
そして請求項６にかかる発明によれば、ディスク再生装置より取得したデータを記憶媒体に記憶させる前に音声データを分離し、映像データのみを記憶媒体に記憶させるため、データサイズが小さくなり、より長時間のデータを記憶媒体に記憶させることが可能となる。
さらに請求項７にかかる発明によれば、通常再生プログラムとＰＯＰ再生プログラムとを選択可能となるため利便性が向上するとともに、ＰＯＰ再生プログラム選択時にはユーザーからの操作入力を制限するため、ＰＯＰ再生に適したテレビジョンを提供可能となる。また、記憶媒体にデータを記憶させた後はディスクを取り出しても再生できるため、ディスク盗難の心配も無くなる。
【発明を実施するための最良の形態】
【０００９】
以下、下記の順序に従って本発明の実施形態を説明する。
（１）本実施例におけるテレビジョンの概略構成：
（２）本実施例における再生モード選択フローチャート：
（３）まとめ：
【００１０】
（１）本実施例におけるテレビジョンの概略構成：
図１は、本願発明の実施形態にかかるテレビジョン（映像出力装置）１００の構成の概略を示している。同図に示すように、テレビジョン１００は、テレビジョン本体５０とリモコン（リモートコントロール装置）６０とを備える。本実施形態のテレビジョン本体５０は、アンテナ１０と、チューナ回路１１と、フラッシュメモリ１２と、ＳＤＲＡＭ３３と、ＭＰＥＧデコーダ３２と、ＭＰＥＧ４エンコーダ３１と、ＤＶＤドライブ３０と、赤外線受光回路１４と、操作パネル３４と、マイコン１５と、低周波出力回路２１と、ＩＩＣバス２７と、スピーカ２８、および映像表示回路である映像増幅・クロマ回路１３と、映像出力回路２２と、垂直偏向回路２３と、水平偏向回路２４と、高圧回路２５と、偏向コイル２６と、受像管２９とを備えている。本テレビジョン１００の回路には汎用的なシリアル通信バスであるＩＩＣバス２７が設けられ、ＩＩＣバス２７に接続された各部１１，１２，１３，１５，３０，３１，３２，３３が所定の通信プロトコルに従って互いにデータの送受信を行うようにされている。
【００１１】
マイコン１５は、内部に、ＣＰＵ１６、ＲＯＭ１７、ＲＡＭ１８、Ｉ／Ｏ回路１９、ＯＳＤ（オン・スクリーン・ディスプレイ）回路２０を備えている。ＯＳＤ回路２０は、映像増幅・クロマ回路１３に接続され、受像管２９の画面にＯＳＤ表示する画像を表すＯＳＤ信号を生成し映像信号に重畳する。マイコン１５は、ＣＰＵ１６の制御により、赤外線受光回路１４や操作パネル３４から電圧信号を入力して対応するキー操作を検知するとリモコン６０からの操作入力を受け付け、受け付けた操作入力に対応したＯＳＤ信号を生成したり、ＳＤＲＡＭやフラッシュメモリに記憶されたプログラムを実行したりする。
【００１２】
また、マイコン１５は複数の操作項目を画面に表示させるＯＳＤ信号を生成し、受像管２９の画面に表示された操作項目の中からいずれかを選択する操作入力をリモコン６０から受け付けるとともに、選択された操作項目に対応する設定処理を実行する。なお、本実施形態では受像管から映像を出力するテレビジョンを例に取り上げて説明するが、本発明の映像出力装置には、液晶パネルから映像を出力する液晶テレビジョンやプラズマディスプレイから映像を出力するプラズマテレビジョン等も考えられる。
【００１３】
チューナ回路１１は、マイコン１５の制御により、アンテナ１０を介してテレビ放送帯域に対応した所望周波数のテレビジョン信号を受信するとともに、この受信したテレビジョン信号から所要の信号だけを選択して高周波増幅し、中間周波信号に変換して出力する。チューナ回路１１から出力された中間周波信号が映像増幅・クロマ回路１３に供給されると、映像増幅・クロマ回路１３は、マイコン１５からの制御データに基づいて、中間周波信号に各種の信号処理を施すことにより、ＲＧＢ（赤、緑、青）で表現される映像信号（ＲＧＢ信号）、同期信号および音声信号を復元する。復元された映像信号（ＲＧＢ信号）は、映像出力回路２２に出力され、対応する色成分にかかる電子ビームを各電子銃から蛍光面スクリーンに向けて照射させる。また、復元された同期信号は、所定の信号処理が施された後、偏向駆動信号として高圧回路２５に出力され、電圧変換を施した後に受像管２９に出力され、照射された電子ビームを偏向させる。さらに、復元された音声信号は、低周波出力回路２１を経て、スピーカ２８に出力される。
【００１４】
ＤＶＤドライブ３０は、光記録媒体であるＤＶＤなどにデジタル記録された映像／音声情報や字幕，リージョンコード等の情報をデータ・ビット・ストリームとして読み出しデコーダ３２に出力可能となっている。デコーダ３２は、読み出されたデータ・ビット・ストリームから圧縮変換前の映像情報と音声情報とを復元してビデオ出力とオーディオ出力とを得るとともに、リージョンコード等種々の情報をマイコン１５に出力する。
【００１５】
すなわち、デコーダ３２はデータ・ビット・ストリームをビデオ成分とオーディオ成分とに分離するとともにデコードし、ビデオ出力とオーディオ出力とに復元しつつそれらを同期させて出力する。デコーダ３２はＭＰＥＧデータを復号化するものであり、ここではＭＰＥＧ２形式で圧縮符号化されたＭＰＥＧ２データおよびＭＰＥＧ４形式で圧縮符号化されたＭＰＥＧ４データのいずれにも対応するように構成されたものを用いる。デコーダ３２より出力される信号は映像増幅・クロマ回路１３に出力され、チューナ回路１１から出力される中間周波信号と同じく、各種信号処理を施された後、受像管２９及びスピーカ２８に出力される。
【００１６】
またＭＰＥＧ４エンコーダ３１は、ＭＰＥＧ２データに基づいたＭＰＥＧ４形式による圧縮符号化処理、またはＭＰＥＧ４データに基づいたＭＰＥＧ４形式による再圧縮符号化処理を行う。ＭＰＥＧ４エンコーダ３１はＤＶＤドライブより出力されるＭＰＥＧ２データまたはＭＥＰＧ４データを音声データと画像データとに分離し、音声データに基づいてＭＰＥＧ４形式の圧縮符号化を行い音声のエレメンタリストリームを出力するとともに、画像データに基づいてＭＰＥＧ４形式の圧縮符号化を行い画像のエレメンタリストリームを出力し、音声と映像の両出力を多重化して出力する。また、ＭＰＥＧ４エンコーダ３１は出力する際に、音声と映像の多重化を行わず、音声のみや映像のみの出力も行うことが可能である。本実施例において、ＭＰＥＧ４エンコーダ３１は、チップセットに実装されたハードウェアエンコーダで構成しているが、ソフトウェアで実現しても構わない。
【００１７】
フラッシュメモリには各種プログラムやデータが格納されており、マイコンは各種プログラムをフラッシュメモリから直接読み出して実行することも出来るし、各種プログラムを表すデータをいったんＳＤＲＡＭ３３に記憶させてから実行することもできる。各種プログラムとは通常再生プログラムおよびＰＯＰ再生プログラムを指す。ＳＤＲＡＭ３３は各種プログラムを表すデータを記憶するプログラムエリアと、ＤＶＤドライブ３０から出力されるＭＰＥＧ２データやＭＰＥＧ４データおよびＭＰＥＧ４エンコーダ３１から出力されるＭＰＥＧ４データを格納するためのバッファエリアと、ＯＳＤ信号を表すデータを格納するＯＳＤエリアと、各種パラメータを格納するパラメータエリアとを備える。むろんＳＤＲＡＭ３３の各エリアは別のデータを格納するために使用することも可能である。
【００１８】
リモコン６０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図２に図示するリモコン６０を用いて所望のチャンネルを受信させるべく操作すると、赤外線送信部６５より対応する赤外線リモコン信号が送出される。そして、マイコン１５が赤外線受光回路１４を介して同赤外線リモコン信号を受信し、対応するチャンネルを受信させるように周波数データをチューナ回路１１に送出する。
【００１９】
図３はリモコン６０の概略構成を示すブロック図である。リモコン６０は、制御回路５２を備え、同制御回路５２に接続された操作キー５１（図では３つの操作キーを例示）は図２のテンキー６３、音量調節キー６２ａ，６２ｂ、上下左右カーソル移動キー６１ａ，６１ｂ，６１ｃ，６１ｄ、カーソル選択キー６１ｅ、およびモード選択キー６４にあたる。また制御回路５２には赤外線送信回路５６が接続されている。
【００２０】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。リモコン６０は、操作キーから操作入力を受け付け、入力された内容に対応する制御データを生成し、赤外線信号に変換して送信する。
【００２１】
操作パネル３４はテレビジョン本体５０に取りつけられ、操作を受け付ける複数のキーを備え、同複数のキーを操作すると各キーに対応する電圧信号がマイコン１５に送出され、マイコン１５は同電圧信号に対応付けられた操作を行う。
【００２２】
（２）本実施例における再生モード選択フローチャート：
【００２３】
本発明におけるテレビジョンは、通常モードとＰＯＰ（店頭展示用）モードの２種類の再生モードを持つ。通常モードでは、一時停止や早送り、巻き戻しといった特殊再生を行う操作入力が可能で、ＤＶＤドライブから映像情報や音声情報を適宜取得しながら再生や特殊再生を行うモードである。従って、通常モードではフラッシュメモリ１２に記憶されている各機器を制御する通常再生プログラムをＳＤＲＡＭ３３上のプログラムエリアに転送して実行する。
【００２４】
一方、ＰＯＰモードとは店頭などでデモンストレーションや宣伝などを行うための、比較的短く一定時間の映像や音声を繰り返し流し続けるモードである。従ってＰＯＰモードでは特殊再生機能は必要ないので、ＰＯＰモードにおけるＰＯＰ再生プログラムは通常再生プログラムよりデータサイズが小さい。またＰＯＰ再生プログラムはＳＤＲＡＭ３３のプログラムエリアに転送されずにフラッシュメモリ１２から直接実行される。むろん、ＰＯＰモードにおけるプログラムはＳＤＲＡＭ３３に転送されてＳＤＲＡＭ３３から実行されてもよく、このとき、ＰＯＰ再生プログラムのサイズが通常再生プログラムより小さいため、ＳＤＲＡＭ３３のプログラムエリアは通常再生プログラムが転送されたときよりも小さくなる。
【００２５】
以下、図４を参照して、リモコンからの操作入力を受け付けて各モードの設定処理を行うマイコン１５の処理を説明する。なお、図４には、当該処理をフローチャートで示してある。本フローは、テレビジョン１００の電源がオンである間は繰り返し行われる。また、テレビジョン１００の電源がＯＮになり、本フローが開始される前は、テレビジョン１００は通常モードで起動される。
【００２６】
処理を開始すると、まずリモコン６０のモード選択キー６４が押し下げ操作されたか否かを判断する（ステップＳ１００）。リモコン６０は、各種キーが押し下げられる操作が行われると、当該操作を検知して操作に対応するパルスで表現した赤外線信号を赤外線送信回路からテレビジョン本体に向けて送信する。すると、赤外線受光回路１４が赤外線信号を受光して対応する電圧信号を生成する。マイコン１５は赤外線受光回路１４からの電圧信号の入力を常時監視しており、電圧信号で表される情報を識別することによりリモコンに対して行われたキー操作を検知する。これにより、マイコン１５はリモコン６０からの操作入力を受け付ける。
【００２７】
そしてユーザーがリモコン６０のモード選択キー６４を押し下げる操作を行うと、リモコン６０は、モード選択キー６４の押し下げ操作を検知し、当該押し下げ操作に対応するパルスで表現した赤外線信号を赤外線送信回路からテレビジョン本体に向けて送信する。すると、赤外線受光回路１４が赤外線信号を受光して対応する電圧信号を生成し、マイコン１５は同電圧信号を識別してモード選択キー６４の押し下げ操作を検知するので、ステップＳ１００では条件成立となり、ステップＳ１１０に進む。なお、モード選択キー６４が押し下げ操作されていない場合にはマイコン１５はモード選択キー６４の押し下げ操作を検知しないので、ステップＳ１００では条件不成立となり、本フローを終了する。
【００２８】
ステップＳ１１０では、通常モードとＰＯＰモードを選択する操作項目を表す情報をＲＯＭ１７より取得する。そして取得した操作項目を表す情報に基づいて当該操作項目のいずれかの位置に対応させたカーソルとともにＯＳＤ表示させるＯＳＤ信号をＯＳＤ回路２０に生成させ、映像増幅・クロマ回路１３からの映像信号に当該生成したＯＳＤ信号を重畳し、ＯＳＤ信号を重畳した映像信号を映像増幅・クロマ回路１３に対して供給する。
【００２９】
すると、映像増幅・クロマ回路１３にてＯＳＤ信号を重畳した映像信号に対応するＲＧＢ信号が生成され、受像管２９に同ＲＧＢ信号に対応する映像のモード選択画面が表示される。ここで、映像信号にＯＳＤ信号が重畳されているので、テレビジョン１００の画面にはカーソルとともに操作項目の一覧が表示される。例えばモード選択画面としては、画面に「通常モード」と「ＰＯＰモード」の２つの項目を左右に並べて表示するとともにカーソルを「通常モード」にあわせて表示するなどすればよい。
【００３０】
ステップＳ１１５ではマイコン１５は、赤外線受光回路１４から対応するキー操作の電圧信号の入力を検知することにより、リモコン６０に配置されたカーソル選択キー６１ｅまたはカーソル移動キーの何れかが押し下げ操作されたか否かを判断する。ユーザーがリモコン６０上のカーソル移動キー６１ａ〜６１ｄまたはカーソル選択キー６１ｅのいずれかを押し下げ操作すると当該キーに応じた赤外線信号が送出されるので、マイコン１５は、赤外線受光回路１４を介してリモコンからの同赤外線信号を受信し、同赤外線信号に前記キーの操作に対応するキー情報が含まれることを検知し、当該情報を取得する。
【００３１】
具体的には、カーソル移動キー６１ｂのキー情報を取得したときはカーソルを左に移動させ、カーソル移動キー６１ｄのキー情報を取得したときはカーソルを右に移動させる。このようにカーソル移動キーのキー情報を取得したときはカーソルを移動させるとともに条件不成立とし、ステップＳ１１５を繰り返す。一方、カーソル選択キー６１ｅのキー情報を取得したときは、カーソル選択キー６１ｅ押し下げ時にカーソルが選択中の操作項目に対応する情報を取得してＲＡＭ１８に一時的に格納してステップＳ１２０に進む。取得する情報としては「通常モード」のときは「１」、「ＰＯＰモード」のときは「０」などとすればよい。なお、リモコン６０のカーソル移動キー６１ａ〜６１ｄとカーソル選択キー６１ｅのいずれも押し下げ操作されていないと、やはり条件不成立となってステップＳ１１５の判断処理を繰り返す。
【００３２】
このとき、ユーザーはこのメニュー画面に従ってリモコン６０に配置されたカーソル移動キー６１ａ〜６１ｄのいずれかを押し下げ操作することでカーソルを移動し、カーソル選択キー６１ｅを押し下げ操作することで操作項目の選択入力を行うことができる。すると、マイコン１５は、赤外線受光回路から電圧信号を入力して対応するキー操作を検知し、リモコンから操作入力を受け付ける。例えばカーソルが「通常モード」に対応する位置にあるとき、ユーザーがカーソル移動キー６１ｄを押し下げ操作するとカーソルが「ＰＯＰモード」に移動し、さらにユーザーがカーソル移動キー６１ｂを押し下げ操作するとカーソルは再び「通常モード」に移動する。そして所望の項目にカーソルを合わせて、カーソル選択キー６１ｅを押し下げ操作することで操作項目の選択入力を行う。
【００３３】
ステップＳ１１５でカーソル選択キー６１ｅの操作を検知するとステップＳ１２０に進み、ステップＳ１２０ではＲＡＭ１８に格納されたカーソルの位置にある操作項目の選択入力を表す情報を受け付け、通常モードに対応する通常再生プログラムを開始するか、それともＰＯＰモードに対応するＰＯＰ再生プログラムを開始するかの判断を行う。そしてＲＡＭ１８に格納された情報が「通常モード」に対応するものであると判断されたときはステップＳ１３０に進み、「ＰＯＰモード」に対応するものであると判断されたときはステップＳ１４０に進む。
【００３４】
ステップＳ１３０では通常再生プログラムをフラッシュメモリから取得し、ＳＤＲＡＭ３３に転送するとともに、ＳＤＲＡＭ３３に転送された当該プログラムを実行する。このときＳＤＲＡＭ３３には図５に示すように、通常再生プログラムをプログラムエリアに格納し、ＭＰＥＧデータ再生時の音飛びやこま落ちを防止するためにＤＶＤドライブ３０からＭＰＥＧデータを予め一定量読み出して記憶するためのバッファエリアと、ＯＳＤ回路２０にて生成され受像管２９の画面にＯＳＤ表示する画像を表すＯＳＤ信号を表すデータを記憶するためのＯＳＤエリアと、各種パラメータを格納するためのパラメータエリアとを設ける。
【００３５】
そして、通常再生プログラムが実行され、チューナ回路１１より入力されるテレビジョン信号に基づき、受像管２９に映像を表示させ、スピーカ２８からは音声を出力させる。そしてユーザーは所定の操作方法に従ってＤＶＤの再生や特殊再生、ＴＶ放送の視聴などを行う。
【００３６】
一方ステップＳ１２０にてＰＯＰモードの選択入力を検知してステップＳ１４０に進むと、ＰＯＰ再生プログラムを実行する。当該プログラムはＳＤＲＡＭ３３に転送されずにフラッシュメモリから呼び出されて直接実行される。このとき、ＳＤＲＡＭ３３には図６に示すように、ＭＰＥＧデータを記憶するためのバッファエリアと、各種パラメータを格納するためのパラメータエリアとが設けられる。
【００３７】
そしてステップＳ１４５では音声ありで再生するか、それとも音声無しで再生するかを選択する操作項目を表す情報をフラッシュメモリ１２から読み出し、読み出した操作項目を表す情報に基づいて当該操作項目のいずれかの位置に対応させたカーソルとともにＯＳＤ表示させるＯＳＤ信号をＯＳＤ回路２０に生成させ、ＯＳＤ信号を重畳した映像信号を映像増幅・クロマ回路１３に対して供給させて、音声ありで再生するか、それとも音声無しで再生するかを選択する画面を表示させる。表示される画面としてはＰＯＰモードを音声ありで実行するか、それとも音声なしで実行するかを選択するためのものであればよく、たとえば画面上部に「音声なしで実行しますか」とのメッセージを表示し、その下に「ＹＥＳ」の操作項目と「ＮＯ」操作項目が左右に並べて表示するなどすればよい。
【００３８】
ステップＳ１４７では、マイコン１５は、赤外線受光回路１４から対応するキー操作の電圧信号の入力を検知することにより、リモコン６０に配置されたカーソル選択キー６１ｅまたはカーソル移動キー６１ａ〜６１ｄの何れかが押し下げ操作されたか否かを判断する。ユーザーがリモコン６０上のカーソル移動キー６１ａ〜６１ｄまたはカーソル選択キー６１ｅのいずれかを押し下げ操作すると当該キーに応じた赤外線信号が送出されるので、マイコン１５は、赤外線受光回路１４を介してリモコンからの同赤外線信号を受信し、同赤外線信号に前記キーの操作に対応するキー情報が含まれることを検知し、当該情報を取得する。
【００３９】
具体的なカーソル移動およびカーソル選択についてはステップＳ１１５と同じである。カーソル移動キー６１ａ〜６１ｄのキー情報を取得したときは条件不成立となり、ステップＳ１４７を繰り返し、カーソル選択キー６１ｅのキー情報を取得したときは条件成立として、カーソル選択キー６１ｅ押し下げ時にカーソルが選択中の操作項目に対応する情報を取得してＲＡＭ１８に一時的に格納してステップＳ１５０に進む。取得する情報としては「ＹＥＳ」のときは「１」、「ＮＯ」のときは「０」などとする。なお、リモコン６０のカーソル移動キー６１ａ〜６１ｄとカーソル選択キー６１ｅのいずれも押し下げ操作されないと、条件不成立としてステップＳ１４７の判断処理を繰り返す。
【００４０】
このとき、ユーザーはこのメニュー画面に従ってリモコン６０に配置されたカーソル移動キー６１ａ〜６１ｄを押し下げ操作することでカーソルを移動し、カーソル選択キー６１ｅを押し下げ操作することで操作項目の選択入力を行う。そして、マイコン１５は、赤外線受光回路から電圧信号を入力して対応するキー操作を検知することにより、リモコンから操作入力を受け付ける。例えばカーソルが「ＹＥＳ」と対応する位置にあるとき、ユーザーがカーソル移動キー６１ｄを押し下げ操作するとカーソルが「ＮＯ」に移動し、さらにユーザーがカーソル移動キー６１ｂを押し下げ操作するとカーソルは再び「ＹＥＳ」に移動する。そして所望の項目にカーソルを合わせて、カーソル選択キー６１ｅを押し下げ操作することで操作項目の選択入力を行う。
【００４１】
ステップＳ１４７で条件成立となりステップＳ１５０に進むと、ステップＳ１４７の条件成立時に取得してＲＡＭ１８に格納した操作項目に対応する情報を判定する。ステップＳ１４７条件成立時に取得した情報が「１」のときは条件成立としてステップＳ１５５に進み、「０」のときは条件不成立としてステップＳ１６０に進む。
【００４２】
ステップＳ１５５に進むと、ＭＰＥＧ４エンコーダ３１に、データ出力時に音声と映像の多重化を行わずに映像情報のみを出力させる制御信号を出力してステップＳ１６０に進む。そしてステップＳ１６０では、ＤＶＤドライブ３０に、データの転送を開始させる制御信号を出力し、ＤＶＤドライブ３０にセットされた光記録媒体から映像／音声情報や字幕，リージョンコード等の情報をデータ・ビット・ストリームとしてＭＰＥＧ４エンコーダ３１に出力させる。
【００４３】
ここで、ステップＳ１５５を経てステップＳ１６０に進んだときは、ＭＰＥＧ４エンコーダ３１は、ＤＶＤドライブ３０から転送されたＭＰＥＧ２データやＭＰＥＧ４データといったＭＰＥＧデータを、音声データと画像データとに分離し、画像データに基づいてＭＰＥＧ４形式の圧縮符号化を行い画像のエレメンタリストリームを出力し、映像出力のみのＭＰＥＧ４データを出力してステップＳ１７０に進む。
【００４４】
一方、ステップＳ１５０からステップＳ１６０に進んだときはＭＰＥＧデータを音声データと画像データとに分離し、音声データに基づいてＭＰＥＧ４形式の圧縮符号化を行い音声のエレメンタリストリームを出力するとともに、画像データに基づいてＭＰＥＧ４形式の圧縮符号化を行い画像のエレメンタリストリームを出力し、音声と映像の両出力を多重化してＭＰＥＧ４データとして出力してステップＳ１７０に進む。
【００４５】
ステップＳ１７０では、ステップＳ１６０でＭＰＥＧ４エンコーダ３１より出力されたＭＰＥＧ４データをＳＤＲＡＭ３３のバッファエリアに書き込ませてステップＳ１８０に進む。ステップＳ１７０では、図６に示すように、プログラムやＯＳＤ信号を表すデータは記憶されず、ＳＤＲＡＭ３３のパラメータエリア以外の全領域にわたってＭＰＥＧ４データが書き込まれる。したがって通常モードにて確保されるバッファ領域よりも多くのバッファエリアを確保できるとともに、ＭＰＥＧ２データもＭＰＥＧ４形式に再圧縮符号化して記憶させるため、再圧縮符号化する前のＭＰＥＧ２データを記憶させるよりも長時間のデータを記憶可能となる。
【００４６】
ステップＳ１８０ではＤＶＤドライブ３０の駆動を停止させてステップＳ１９０に進み、ステップＳ１９０では赤外線受光回路１４や操作パネル３４から入力されるキー操作を表す電圧信号のうち、モード選択キー６４以外の電圧信号を受け付けないようにする。ステップＳ１９０が終了後は、ユーザーがリモコンの電源キー６６や、カーソル移動キー６１ａ〜６１ｄやカーソル選択キー６１ｅや、ボリュームキー６２ａ，６２ｂや、テンキー６３などのモード選択キー６４以外のキー操作を行っても、当該キー操作に対応する電圧信号をマイコン１５が受け付けないためキー操作は無効となる。また、操作パネル３４からのキー操作も同様に無効となる。むろんモード選択キー６４以外にも、例えばボリュームキーの操作をマイコン１５が受け付ける構成にしてもよいし、無効にするキーと有効にするキーの選択をユーザーに行わせる構成としても構わない。
【００４７】
ステップＳ２００では、ステップＳ１７０でＳＤＲＡＭ３３のバッファエリアに書き込まれたＭＰＥＧ４データをデコーダ３２に出力させ、デコーダ３２から出力された映像信号を映像出力回路２１に出力して映像を受像管２９に表示させるとともに、デコーダ３２から出力された音声信号を低周波出力回路２２に出力してスピーカ２８から音声出力させる。ステップＳ２００でのＭＰＥＧ４データの出力は、ＳＤＲＡＭ３３に書き込まれたＭＰＥＧ４データを全て出力終了するとまた最初から繰り返し出力させる。このとき、受像管２９の画面およびスピーカ２８にＭＰＥＧ４データに対応する映像／音声が再生され、ＭＰＥＧ４データの最後まで再生し終わると、また最初から再生が始まる。むろん繰り返し出力を行わせず最後まで出力したらステップＳ１１０のモード選択画面を表示させてもよいし、何も表示させない設定としても構わない。
【００４８】
ステップＳ２１０では、赤外線受光回路１４から入力されるモード選択キー６４の押し下げ操作を示す電圧信号を監視し、同電圧信号の入力を検出するとステップＳ１１０に戻りモード選択画面を表示する。同電圧信号の入力を検出しないときは、検出するまでステップＳ２１０を繰り返す。この間ＭＰＥＧ４データの再生は続行される。ユーザーはＰＯＰモードを終了させたいときは、モード選択キー６４を押し下げ操作する。するとステップＳ１１０に戻り、通常モードにするかＰＯＰモードにするかを選択するモード選択画面が表示される。また、このときキー操作の制限も解除されてモード選択キー６４以外のテンキー６３や電源キー６５などのキー操作が有効になるとともに、ＤＶＤドライブ３０の駆動も行えるようになる。
【００４９】
本実施例ではＰＯＰ再生プログラムはフラッシュメモリ１２から呼び出されて実行するとしたが、むろんＳＤＲＡＭ３３に転送されて、ＳＤＲＡＭ３３から呼び出されて実行されても構わない。この場合、ＳＤＲＡＭ３３上にプログラムが記憶されるためＭＰＥＧ４データをバッファするためのバッファエリアはフラッシュメモリ１２から直接ＰＯＰ再生プログラムを実行する構成としたときよりも少なくなるが、ＳＤＲＡＭ３３のほうがフラッシュメモリ１２よりアクセス速度が速いためプログラムの実行速度は速くなる。
【００５０】
次に、上記構成からなる本実施形態の動作を説明する。
まず、テレビジョン１００は、電源がＯＮになると通常モードで起動される。このときＳＤＲＡＭ３３には図５のようにプログラムエリアと、パラメータエリアと、ＯＳＤエリアと、バッファエリアとが確保される。そしてプログラムエリアに通常再生プログラムが転送されてマイコン１５により実行され、ＴＶ放送などが画面に表示される。
ここで、静かなレストランなどの音声を出さないほうがよい場所や、逆に騒音が大きくて音声を出しても意味のない街頭などにおいて映像のみを繰り返し流したいときは、まず、ユーザーはリモコン６０のモード選択キー６４を押し下げ操作する（Ｓ１００）。すると、モード選択画面となり、「通常モード」と「ＰＯＰモード」の２つの項目が左右に並べて表示されるとともに、カーソルが「通常モード」にあわせて表示される（Ｓ１１０）。
【００５１】
そこで、ユーザーはリモコン６０のカーソル移動キー６１ｄを一回押し下げ操作し、カーソルを「ＰＯＰモード」にあわせて、カーソル選択キー６１ｅの押し下げ操作をする（Ｓ１１５）。すると、図５に示すフローチャートに従ってステップＳ１２０でＰＯＰモードが選択され、ステップＳ１４０にてＰＯＰ再生プログラムが起動される。このときＳＤＲＡＭ３３では、電源がＯＮになったときに確保された各エリアのうち、プログラムエリアが開放されバッファエリアとして利用可能となる。そして、ＰＯＰ再生プログラムはフラッシュメモリから直接実行される。
【００５２】
次にＰＯＰモードを音声ありで実行するか、それとも音声なしで実行するかを選択する画面となり、画面上部に「音声なしで実行しますか」とのメッセージが表示され、その下に「ＹＥＳ」の操作項目と「ＮＯ」操作項目が左右に並べて表示されるとともに、カーソルが「ＹＥＳ」にあわせて表示される。そこで、ユーザーはカーソルを動かさずにリモコン６０のカーソル選択キー６１ｅの押し下げ操作をする（Ｓ１４７）。すると、図５に示すフローチャートに従って音声なしでのＰＯＰモードが選択され（Ｓ１５０）、マイコン１５はＭＰＥＧ４エンコーダ３１にデータ出力時に音声と映像の多重化を行わずに映像情報のみを出力させる制御信号を出力する（Ｓ１５５）。ステップＳ１４７終了後、ＰＯＰモード終了までＯＳＤ表示は行われないため、この時点でＯＳＤエリアは開放され、バッファエリアとして利用可能となる。
【００５３】
そしてＤＶＤドライブ３０からデータがＭＰＥＧ４エンコーダ３１に出力され、ＭＰＥＧ４エンコーダ３１にて音声と映像の両出力を多重化してＭＰＥＧ４データとして圧縮符号化して出力され（Ｓ１６０）、ＭＰＥＧ４データはＳＤＲＡＭ３３のバッファエリアに書きこまれる（Ｓ１７０）。このバッファエリアは、通常モードにて確保されていたバッファエリアに加えて、開放されたプログラムエリアとＯＳＤエリアを含むエリアである。そして、ＤＶＤドライブ３０の駆動が止まり（Ｓ１８０）、リモコン６０のモード選択キー６４以外のキー操作が無効となり（Ｓ１９０）、バッファエリアに書き込まれたＭＰＥＧ４データの再生が始まる（Ｓ２００）。このとき、受像管２９には映像が映し出されるとともに、スピーカ２８から音声が出力される。
【００５４】
これ以降のＰＯＰモードでは、本テレビジョン１００は、ＤＶＤドライブ３０におけるモータなどの駆動機構的な動作は一切なく、ＳＤＲＡＭ３３から直接ＭＰＥＧ４データが読み出されて、繰り返しＰＯＰ用の映像を表示し続ける。再生されるＭＰＥＧ４データは全てＳＤＲＡＭ３３に記録されるため、ＤＶＤドライブ３０からＤＶＤなどのディスクを取り出してもよい。そして店舗の営業時間が終わる頃、店員はリモコン６０にて、モード選択キー６４を押し下げ操作することによりＰＯＰモードを終了する（Ｓ２１０）。すると、リモコン６０のキー操作が有効となり、電源キー６６を押し下げ操作することで本テレビジョン１００の電源を切ることができる。
【００５５】
また、店頭にてＰＯＰモードでＭＰＥＧ４データ再生中に、客が誤って本テレビジョン１００の操作パネル３４の電源ボタンを押してしまうこともある。しかし、ステップＳ２００の直前のステップＳ１９０にて、操作入力を制限しているため、仮に電源ボタンを押し下げ操作されても電源がＯＦＦになることは無い。同様に、客がディスクイジェクトボタンを押してもステップＳ１９０に基づいて、操作ボタンの操作は反映されず、ディスクトレイが出てくることはない。このようにキー操作が無効となっているため不慮の操作で再生が中断され足りすることがない。また、音声なしのＰＯＰモードでは、通常モードと比べてＳＤＲＡＭ３３のＯＳＤエリアやプログラムエリアが不要なため、通常モードにおけるプログラムエリアとＯＳＤエリアとバッファエリアとをあわせた領域をバッファエリアとすることができ、さらにデータはＭＰＥＧ４形式であるため圧縮効率がよく、長時間のデータをＳＤＲＡＭ３３に格納することが可能である。
【００５６】
一方、音声による商品の説明が入っているディスクなどを、音声を出力しながら繰り返し流し続けたい場合は、ユーザーはテレビジョンを音声ありでＰＯＰモードを実行すればよい。このとき、ＰＯＰ再生プログラムが起動するところまでは、音声なしでＰＯＰモードを実行するときと同じである（Ｓ１００〜Ｓ１４０）。そして、ＰＯＰモードを音声ありで実行するか、それとも音声なしで実行するかを選択する画面が表示されると（Ｓ１４５）、リモコン６０のカーソル移動キー６１ｄを一回押し下げ操作し、カーソルを「ＮＯ」にあわせてカーソル選択キー６１ｅの押し下げ操作をする（Ｓ１４７）。すると図５に示すフローチャートに従って音声ありでのＰＯＰモードが選択される（Ｓ１５０）。
【００５７】
そしてＤＶＤドライブ３０からデータがＭＰＥＧ４エンコーダ３１に出力され、ＭＰＥＧ４エンコーダ３１にて音声と映像の両出力を多重化してＭＰＥＧ４データとして圧縮符号化して出力され（Ｓ１６０）、ＭＰＥＧ４データはＳＤＲＡＭ３３のバッファエリアに書きこまれる（Ｓ１７０）。そして、ＤＶＤドライブ３０の駆動が止まり（Ｓ１８０）、リモコン６０のモード選択キー６４以外のキー操作が無効となり（Ｓ１９０）、バッファエリアに書き込まれたＭＰＥＧ４データの再生が始まる（Ｓ２００）。このとき、受像管２９には映像が映し出されるとともに、スピーカ２８から音声が出力される。
【００５８】
同じディスクのデータを同品質の映像／音声データとしてＳＤＲＡＭ３３に記憶させると、音声データありのＰＯＰモードでは音声なしのＰＯＰモードよりも音声データの分データサイズは大きくなる。そのため、より短時間のデータしか記憶させることが出来ない。しかし、通常モードに比べるとＳＤＲＡＭ３３のバッファエリアのサイズは十分大きく、むろんデータはＭＰＥＧ４形式であるため、長時間のデータをＳＤＲＡＭ３３に格納することが可能である。
【００５９】
そしてユーザーがＰＯＰモードでのＭＰＥＧ４データの再生中にＰＯＰモードを終了して通常モードに変更したいときは、モード選択キー６４の押し下げ操作を行う（Ｓ２１０）。するとＭＰＥＧ４データの再生が中断され、全てのキー操作が有効になり、ＤＶＤドライブ３０の駆動が開始され、画面にモード選択画面が表示される。そして、ユーザーはモード選択画面にてそのままリモコン６０のカーソル選択キー６１ｅの押し下げ操作をする（Ｓ１１５）。すると、図５に示すフローチャートに従って通常モードが選択され（Ｓ１２０）、ステップＳ１３０にてＳＤＲＡＭ３３には図５のようにプログラムエリアと、パラメータエリアと、ＯＳＤエリアと、バッファエリアとが確保され、フラッシュメモリ１２から通常再生プログラムがＳＤＲＡＭ３３のプログラムエリアに転送されてマイコン１５によって実行される。そしてユーザーは所定の操作方法に従ってＤＶＤの再生や特殊再生、ＴＶ放送の視聴などを行う。
【００６０】
（３）まとめ：
つまり、本発明においては、ＰＯＰモードと通常モードとを選択可能とし、ＰＯＰモードではＤＶＤドライブ３０からデータを取得し、ＭＰＥＧ４エンコーダ３１にてＭＰＥＧ２データはＭＰＥＧ４形式に変換して、ＭＰＥＧ４データはそのままＳＤＲＡＭ３３に記憶させる。またＭＰＥＧ４エンコーダにて音声データをカットしたデータも出力可能とし、音声データをカットするかしないかを選択可能とした。さらにＤＶＤドライブ３０の駆動を停止するようにした。
【００６１】
以上説明したように本実施例に対応する請求項２にかかる発明は、上記ＰＯＰ再生プログラムを実行する上記マイコンがディスク再生装置より音声と映像とを含むデータを取得し、取得した上記データを上記記憶媒体のバッファエリアに記憶させるとともに上記ディスク再生装置を駆動する駆動部を停止させる構成としてある。
上記のように構成した請求項２の発明において、上記ＰＯＰ再生プログラムを実行する上記マイコンが上記映像と音声とを含むデータをディスク再生装置からバッファエリアにコピーして再生するとともに、上記ディスク再生装置の上記駆動部分を停止させるため、長寿命かつ低コストでテレビジョンを提供することが出来る。
【００６２】
また請求項３にかかる発明では、上記請求項２に記載のテレビジョンにおいて、上記ＰＯＰ再生プログラムを実行する上記マイコンは、上記ディスク再生装置より映像と音声とを含むデータを取得し、上記データがＭＰＥＧ２形式のときはＭＰＥＧ４形式に圧縮符号化して上記バッファエリアに記憶させる構成としてある。
ＭＰＥＧ４形式はＭＰＥＧ２形式よりも圧縮効率がよく、同等の映像データであってもＭＰＥＧ２形式よりもファイルサイズが小さくてすむ。従って、上記のように構成した請求項３の発明において、ディスク再生装置より取得した映像と音声とを含むデータがＭＰＥＧ２形式のときはＭＰＥＧ４形式に圧縮符号化して上記記憶媒体に記憶させるため、より長時間のデータを記憶媒体に記憶させることが可能なテレビジョンを提供することが出来る。
そして請求項４にかかる発明では、上記請求項２または３に記載のテレビジョンにおいて、上記マイコンは、上記ＰＯＰ再生プログラムを上記フラッシュメモリから実行するとともに、上記プログラムエリアも上記データを記憶させるためのバッファエリアとして使用する構成としてある。
テレビジョンを通常モードにて動作させるには、特殊再生を行うためのプログラムが必要となるが、ＰＯＰモードでは通常再生以外の機能は必要としない。従って、プログラムを記憶させるために上記記憶媒体に設けられたプログラムエリアをディスク再生装置より取得した上記データを記憶させるために使用でき、より多くのデータを記憶媒体に記憶させることが可能となる。
【００６３】
さらに請求項５にかかる発明では、上記請求項２〜４のいずれかに記載のテレビジョンにおいて、上記マイコンは、上記ＰＯＰ再生プログラムを上記フラッシュメモリから実行するとともに、上記ＯＳＤエリアも上記データを記憶させるためのバッファエリアとして使用する構成としてある。
ＯＳＤエリアにはフォントのデータなどが記憶されるが、比較的多くの領域を必要とする。一方、ＰＯＰモードではＯＳＤでの表示が必要とされない。従って、ＰＯＰモードのときには、ＯＳＤ信号を記憶させるために上記記憶媒体に設けられたＯＳＤエリアを、ディスク再生装置より取得したデータを記憶させるために有効に使用できる。そのため、さらに多くのデータを記憶媒体に記憶させることが可能なテレビジョンを提供することが出来る。
【００６４】
また請求項６にかかる発明では、上記請求項２〜５のいずれかに記載のテレビジョンにおいて、上記ＰＯＰ再生プログラムを実行する上記マイコンは、上記ディスク再生装置より映像と音声とを含むデータを取得し、上記映像と音声とを含むデータを映像データと音声データとに分離し、上記映像データのみを上記バッファエリアに記憶させる構成としてある。
このとき、ディスク再生装置より取得したデータを記憶媒体に記憶させる前に音声データを分離し、映像データのみを記憶媒体に記憶させるため、データサイズが小さくなり、より長時間のデータを記憶媒体に記憶させることが可能なテレビジョンを提供することが出来る。
【００６５】
そして請求項７にかかる発明では、上記請求項２〜６のいずれかに記載のテレビジョンにおいて、上記通常再生プログラムと上記ＰＯＰ再生プログラムとを選択するプログラム選択手段と、ユーザーからの操作入力を受け付ける操作入力受付手段とを備え、上記プログラム選択手段にて上記ＰＯＰ再生プログラムが選択されたとき、上記マイコンは、上記操作入力受付手段からの操作入力を制限する構成としてある。
【００６６】
上記操作入力受付手段としては画面に表示された操作項目の中からいずれかを選択入力し当該選択入力をテレビジョンに受け付けさせること、および選択入力を上記マイコンに受け付けさせることができれば良く、スイッチと連動したボタンやダイヤル等種々の態様が採用可能である。
このとき、特殊再生機能を持つ上記通常再生プログラムと特殊再生機能を持たない上記ＰＯＰ再生プログラムとを選択可能となるため利便性が向上するとともに、上記マイコンが特殊再生機能を持たない上記ＰＯＰ再生プログラム実行時にはユーザーからの操作入力を制限するためＰＯＰ再生に適したテレビジョンを提供することが出来る。
操作入力を制限する手法は上記操作入力受付手段からの操作入力を制限するものであればいかなるものであってもよく、様々なものを採用可能である。例えば、上記操作入力受付手段より入力される操作入力に対応する電圧信号をマイコンが判断し、制限したい操作入力に対応する電圧信号を処理しない手法が考えられる。
【００６７】
以上の構成を踏まえた上で、請求項１の発明は、ＤＶＤドライブと、マイコンと、上記マイコンが読み出して実行する特殊再生機能を備える通常再生プログラムと特殊再生機能を備えないＰＯＰ再生プログラムとが記憶されるフラッシュメモリと、情報を書き換え可能なＳＤＲＡＭと、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンとを備えるテレビジョンにおいて、上記ＳＤＲＡＭは、上記通常再生プログラムまたは上記ＰＯＰ再生プログラムを記憶するプログラムエリアと、オン・スクリーン・ディスプレイ信号を記憶するＯＳＤエリアと、映像や音声を含むデータが記憶されるバッファエリアと、各種パラメータを格納するパラメータエリアとを具備し、上記マイコンは、上記ＰＯＰ再生プログラムを実行すると、上記ＤＶＤプレーヤーからＭＰＥＧデータを取得し、上記プログラムエリアおよび上記ＯＳＤエリアも上記データを記憶させるためのバッファエリアとし、上記複数のキーより上記ＭＰＥＧデータの音声データをカットするか否かを選択する操作入力を受け付け、音声データをカットする操作入力を受け付けたときは上記データの形式をＭＰＥＧ４にするとともに音声データをカットして上記バッファエリアに記憶させ、音声データをカットしないとの操作入力を受け付けたときは上記データをＭＰＥＧ４形式で上記バッファエリアに記憶させ、上記ＤＶＤプレーヤーの駆動を停止させ、上記複数のキーからの操作入力を制限する構成としてある。
【００６８】
このような、より具体的な構成において上述した請求項２〜請求項７の各発明と同様の作用を奏することはいうまでもない。
【図面の簡単な説明】
【００６９】
【図１】本発明のテレビジョンの概略構成を示すブロック図である
【図２】本発明のリモコンの一例を示す図である
【図３】本発明のリモコンの概略構成を示すブロック図である
【図４】本発明のモード選択操作処理のフローチャートである
【図５】本発明の通常モードにおいてＳＤＲＡＭに格納されるデータ構造である
【図６】本発明のＰＯＰモードにおいてＳＤＲＡＭに格納されるデータ構造である
【符号の説明】
【００７０】
１００…テレビジョン
１０…アンテナ
１１…チューナ回路
１２…フラッシュメモリ
１３…映像増幅・クロマ回路
１４…赤外線受光回路
１５…マイコン
１６…ＣＰＵ
１７…ＲＯＭ
１８…ＲＡＭ
１９…Ｉ／Ｏ回路
２０…ＯＳＤ（オン・スクリーン・ディスプレイ）回路
２１…低周波出力回路
２２…映像出力回路
２３…垂直偏向回路
２４…水平偏向回路
２５…高圧回路
２６…偏向コイル
２７…ＩＩＣバス
２８…スピーカ
２９…受像管
３０…ＤＶＤドライブ
３１…ＭＰＥＧ４エンコーダ
３２…デコーダ
３３…ＳＤＲＡＭ
３４…操作パネル
５０…テレビジョン本体
５１…操作キー
５２…制御回路
５３…ＣＰＵ
５４…ＲＯＭ
５５…ＲＡＭ
５６…赤外線送信回路
６０…リモコン
６１ａ，６１ｂ，６１ｃ，６１ｄ…カーソル移動キー
６１ｅ…カーソル選択キー
６２ａ，６２ｂ…音量調節キー
６３…テンキー
６４…モード選択キー
６５…赤外線送信部
６６…電源キー
【図１】
2007104125.tif 000003
【図２】
2007104125.tif 000004
【図３】
2007104125.tif 000005
【図４】
2007104125.tif 000006
【図５】
2007104125.tif 000007
【図６】
2007104125.tif 000008